(57)【要約】【課題】本体と蓋の互いのいずれの辺どうしが重なる場合でも、本体と蓋を嵌合させた状態に維持することが可能なおにぎり用容器を提供する。【解決手段】本体と蓋を嵌合可能な横断面正三角形状としているとともに、本体と蓋の各辺に互いの離脱を防止するための係合手段を設けており、さらに、前記係合手段は、本体と蓋の互いのいずれの辺が重なった場合でも係合可能な位置に設けられたものとしている。本体の各辺の係合手段が孔を設けた片であり、蓋の各辺の係合手段が前記孔に嵌合する突起であるものとしたり、本体と蓋の各辺の係合手段が、それぞれ各辺の左右方向中央に設けられたものとすることができる。【選択図】図３
0003161881.tif 000002
【実用新案登録請求の範囲】
【請求項１】
本体（１）と蓋（２）を嵌合可能な横断面正三角形状としているとともに、本体（１）と蓋（２）の各辺に互いの離脱を防止するための係合手段（３ａ〜３ｃ）（４ａ〜４ｃ）を設けており、さらに、前記係合手段（３ａ〜３ｃ）（４ａ〜４ｃ）は、本体（１）と蓋（２）の互いのいずれの辺が重なった場合でも係合可能な位置に設けられたものであることを特徴とするおにぎり用容器。
【請求項２】
本体（１）の各辺の係合手段（３ａ〜３ｃ）が孔（６）を設けた片であり、蓋（２）の各辺の係合手段（４ａ〜４ｃ）が前記孔（６）に嵌合する突起である請求項１記載のおにぎり用容器。
【請求項３】
本体（１）と蓋（２）の各辺の係合手段（３ａ〜３ｃ）（４ａ〜４ｃ）が、それぞれ各辺の左右方向中央に設けられている請求項１又は２記載のおにぎり用容器。
【考案の詳細な説明】
【技術分野】
【０００１】
この考案は、おにぎりを収容できるようにしたおにぎり用容器に関するものである。
【背景技術】
【０００２】
従来のおにぎり用容器としては、特許文献１に記載のものがある。このおにぎり用容器は、本体と蓋を嵌合可能な横断面正三角形状としており、三角形状のおにぎりを収容するのに適したものであり、携帯性にも優れている。
【０００３】
ところが、このおにぎり用容器は、本体と蓋が、平面図における三角形の頂部と底辺の中央にそれぞれ設けられた２個所の係合手段によって互いの離脱が防止されるようになっているため、本体と蓋の互いの特定の辺どうしが重なるように位置合わせしなければ、本体と蓋を嵌合させた状態に維持することができず、不便を強いられていた。
【先行技術文献】
【特許文献】
【０００４】
【特許文献１】意匠登録第８４４７５１号公報
【考案の概要】
【考案が解決しようとする課題】
【０００５】
そこで、この考案は、本体と蓋の互いのいずれの辺どうしが重なる場合でも、本体と蓋を嵌合させた状態に維持することが可能なおにぎり用容器を提供することを課題とする。
【課題を解決するための手段】
【０００６】
前記課題を解決するため、この考案は次のような技術的手段を講じている。
【０００７】
この考案のおにぎり用容器は、本体１と蓋２を嵌合可能な横断面正三角形状としているとともに、本体１と蓋２の各辺に互いの離脱を防止するための係合手段３ａ〜３ｃ，４ａ〜４ｃを設けており、さらに、前記係合手段３ａ〜３ｃ，４ａ〜４ｃは、本体１と蓋２の互いのいずれの辺が重なった場合でも係合可能な位置に設けられたものとしている。
【０００８】
また、本体１の各辺の係合手段３ａ〜３ｃが孔６を設けた片であり、蓋２の各辺の係合手段４ａ〜４ｃが前記孔６に嵌合する突起であるものとすることができる。
【０００９】
さらに、本体１と蓋２の各辺の係合手段３ａ〜３ｃ，４ａ〜４ｃが、それぞれ各辺の左右方向中央に設けられているものとすることができる。
請求項１又は２記載のおにぎり用容器。
【考案の効果】
【００１０】
この考案のおにぎり用容器は、上述のような構成を有しており、本体１と蓋２の互いのいずれの辺どうしが重なる場合でも、本体１と蓋２を互いの係合手段３ａ〜３ｃ，４ａ〜４ｃによって嵌合させた状態に維持することができる。
【図面の簡単な説明】
【００１１】
【図１】おにぎり用容器の斜視図である。
【図２】おにぎり用容器の右側面図である。
【図３】おにぎり用容器の平面図である。
【図４】おにぎり用容器の縦断面図である。
【図５】おにぎり用容器の本体の正面図である。
【図６】おにぎり用容器の蓋の右側面図である。
【考案を実施するための形態】
【００１２】
以下、この考案の好適な実施形態を、図面を参照して説明する。
【００１３】
このおにぎり用容器は、本体１と蓋２を嵌合可能な横断面正三角形状としているとともに、本体１と蓋２の各辺に互いの離脱を防止するための係合手段３ａ，３ｂ，３ｃ，４ａ，４ｂ，４ｃを設けており、さらに、前記係合手段３ａ，３ｂ，３ｃ，４ａ，４ｂ，４ｃは、本体１と蓋２の互いのいずれの辺が重なった場合でも係合可能な位置に設けられたものである。
【００１４】
このおにぎり用容器を構成する部材は、各種のプラスチック等の適宜の素材からなるものとすることができる。
【００１５】
本体１は、正三角形状の底壁１ｄと、底壁１ｄの外周から上方に延びる正三角形の３つの辺に対応する周壁１ａ，１ｂ，１ｃからなる上方に開口した形状であり、横断面が角部に丸みを付けた正三角形状となっている。
【００１６】
蓋２は、正三角形状の上壁２ｄと、上壁２ｄの外周から下方に延びる正三角形の３つの辺に対応する周壁２ａ，２ｂ，２ｃからなる下方に開口した形状であり、横断面が本体１よりやや大きい角部に丸みを付けた正三角形状となっている。
【００１７】
蓋２の上壁２ｄは、その上部と下部の間に表示シート（図示せず）を挿入可能な表示シート収納部５を有している。前記上部は透明であり、表示シートに付した各種の文字、図柄、人物、風景等が透過して見えるようになっている。
【００１８】
本体１の周壁の開口縁の表面側は、全周にわたって波状の凹部が形成されており、蓋２の周壁の開口縁の下端側は、前記凹部に対応する波状に形成されており、本体１の周壁１ａ，１ｂ，１ｃの開口縁に蓋２の周壁２ａ，２ｂ，２ｃの開口縁が外嵌するとともに、本体１の前記開口縁の表面側の凹部と蓋２の開口縁の下端側が嵌合するようになっている。
【００１９】
本体１の各辺の係合手段３ａ，３ｂ，３ｃは、孔６を設けた短い板状の片としている。各片は、周壁１ａ，１ｂ，１ｃの開口縁の少し下方に、ヒンジ構造により上下方向に関して回動可能に設けられており、自然な状態では、図５に示したように開口縁上方に突出するようにしている。
【００２０】
蓋２の各辺の係合手段４ａ，４ｂ，４ｃは、前記孔６に嵌合する突起としている。各突起は、周壁２ａ，２ｂ，２ｃの開口縁の少し上方に、周壁２ａ，２ｂ，２ｃから水平方向に突出するように設けられている。各突起は、先端部を大きくし、不意に前記孔６から抜けないようにしている。なお、孔６や突起の形状は図示したものに限定されない。
【００２１】
本体１は、三角形状のおにぎり１個を収容可能なものとしている。本体１の上端の開口部には、図４に示したように中蓋７が取り付けられるようにしている。中蓋７は、蓋２の収容区間との仕切りとして機能し、中蓋７と蓋２の間に形成される空間に、もう１個のおにぎりや各種のおかず類を収容することができる。
【００２２】
このおにぎり用容器は、互いのいずれの辺が重なった場合でも本体１と蓋２は嵌合可能であり、また、本体１と蓋２の各辺の係合手段３ａ，３ｂ，３ｃ，４ａ，４ｂ，４ｃが、それぞれ各辺の中央に設けられており、各辺における本体１と蓋２の互いの係合手段の位置が一致しており、すべての辺の互いの係合手段を係合させることが可能である。
【００２３】
そのため、本体１と蓋２が嵌合していれば、互いの係合手段３ａ，３ｂ，３ｃ，４ａ，４ｂ，４ｃの位置が不一致になることはなく、わざわざ互いの係合手段の位置が一致するように本体１又は蓋２を回動させる必要がない。
【００２４】
なお、本体１と蓋２の各辺の係合手段３ａ，３ｂ，３ｃ，４ａ，４ｂ，４ｃは、必ずしも図示したように各辺の左右方向中央に位置させる必要はなく、それぞれ各辺の左右方向に関して共通する位置（例えば各辺の正面視において左端から２ｃｍの位置等）とすればよい。
【００２５】
以上がこの考案の好適な実施形態であるが、この考案は上述の実施形態の構成に限定されるものではなく、形状、寸法、材質等を適宜変更して実施することができる。
【符号の説明】
【００２６】
１  本体
２  蓋
３ａ，３ｂ，３ｃ，４ａ，４ｂ，４ｃ  係合手段
６  孔
【図１】
0003161881.tif 000003
【図２】
0003161881.tif 000004
【図３】
0003161881.tif 000005
【図４】
0003161881.tif 000006
【図５】
0003161881.tif 000007
【図６】
0003161881.tif 000008